(57)【要約】【課題】表面が濡れていても滑りが生じにくいハンドリムを提供する。【解決手段】ハンドリム７は、基材７０と、基材７０の表面に形成された滑り止め層７１とを備える。滑り止め層７１は、基材７０の表面に形成された接着剤層７１ａと、接着剤層７１ａを介して固定された粒子７１ｂとを有する。粒子７１ｂは、接着剤層７１ａから突出するように固定されている。【選択図】図４
2017192581.tif 000002
【特許請求の範囲】
【請求項１】
駆動輪に設けられた車椅子用のハンドリムであって、
環状の基材と、前記基材の表面に形成された滑り止め層とを備え、
前記滑り止め層は、前記基材の表面に形成された接着剤層と、前記接着剤層を介して固定された粒子とを有し、
前記粒子は、前記接着剤層から突出するように固定されていることを特徴とするハンドリム。
【請求項２】
請求項１に記載のハンドリムであって、
前記接着剤層の厚さは、前記粒子の平均粒径の半分以下であることを特徴とするハンドリム。
【請求項３】
請求項１又は請求項２に記載のハンドリムであって、
前記滑り止め層は、前記基材の周面のうち、ホイールに取り付けた際に前記ホイールとは反対側となる領域、及び、内周側となる領域に形成されていることを特徴とするハンドリム。
【請求項４】
請求項１〜請求項３のいずれか１項に記載のハンドリムであって、
前記粒子は、植物性の粒子であり、
前記粒子の油脂分は、０．４％以下であることを特徴とするハンドリム。
【請求項５】
請求項１〜請求項４のいずれか１項に記載のハンドリムであって、
前記滑り止め層の表面に対する前記粒子が存在する領域の占有面積は、８０％以上であることを特徴とするハンドリム。
【発明の詳細な説明】
【技術分野】
【０００１】
本発明は、車椅子用のハンドリムに関し、特に、トラックレースやマラソン等で用いる競走用の車椅子用のハンドリムに関する。
【背景技術】
【０００２】
従来、競技用車椅子の駆動輪に設けられた車椅子用のハンドリムとしては、繊維強化樹脂材料や金属で形成された基材の表面に、滑り止め層を備えたものがある。この種のすべり止め層としては、基材にテープやチューブ、コードを巻き付けて形成した物が知られている（例えば、特許文献１参照）。
【先行技術文献】
【特許文献】
【０００３】
【特許文献１】特開２００６−３０５００６号公報
【発明の概要】
【発明が解決しようとする課題】
【０００４】
しかし、特許文献１に記載のような従来のハンドリムに用いられているテープやチューブ、コードは、ゴム材等の素材で形成されているので、表面が雨や汗によって濡れていた場合等、手（グローブ）との接触面に水が存在していると、滑りやすいという問題があった。
【０００５】
本発明は以上の点に鑑みてなされたものであり、表面が濡れていても滑りが生じにくいハンドリムを提供することを目的とする。
【課題を解決するための手段】
【０００６】
上記目的を達成するために、本発明のハンドリムは、駆動輪に設けられた車椅子用のハンドリムであって、環状の基材と、前記基材の表面に形成された滑り止め層とを備え、前記滑り止め層は、前記基材の表面に形成された接着剤層と、前記接着剤層を介して固定された粒子とを有し、前記粒子は、前記接着剤層から突出するように固定されていることを特徴とする。
【０００７】
このように、本発明のハンドリムでは、滑り止め層の接着剤層から突出するようにして粒子が固定されている。そのため、ハンドリムの表面には、多数の凹凸が存在しているので、濡れた状態であっても、使用者の手（グローブ）との摩擦抵抗が高い状態が維持される。したがって、本発明のハンドリムは、表面が濡れていても滑りが生じにくい。
【０００８】
また、本発明のハンドリムにおいては、前記接着剤層の厚さは、前記粒子の平均粒径の半分以下であることが好ましい。このように構成すれば、粒子によって十分な凹凸が形成されるので、十分な摩擦抵抗を得やすくなる。また、接着剤層を形成する接着剤の量を低減することができるので、製造コストを抑えることができる。
【０００９】
また、本発明のハンドリムにおいては、前記滑り止め層は、前記基材の周面のうち、ホイールに取り付けた際に前記ホイールとは反対側となる領域、及び、内周側となる領域に形成されていることが好ましい。
【００１０】
滑り止め層は、使用者の手との間の摩擦抵抗を高くするために形成されるものであるので、少なくとも、使用者の手が接触する領域に形成されていればよい。そこで、上記の領域に滑り止め層を形成するようにすれば、摩擦抵抗を低減させることなく、滑り止め層の形成に必要な粒子の量を抑えて、製造コストを抑えることができる。
【００１１】
また、本発明のハンドリムにおいては、前記粒子は、植物性の粒子であり、前記粒子の油脂分は、０．４％以下であることが好ましい。油脂分が０．４％以下であれば、接着剤層に対する接着性を向上させることができる。
【００１２】
また、本発明のハンドリムとしては、前記滑り止め層の表面に対する前記粒子が存在する領域の占有面積は、８０％以上であるように構成してもよい。
【図面の簡単な説明】
【００１３】
【図１】本発明の実施形態に係る車椅子の側面図。
【図２】図１の車椅子の平面図。
【図３】図１の車椅子のフロントフォークの平面図。
【図４】図１の車椅子のハンドリムのＡ−Ａ線断面図。
【図５】図１の車椅子のハンドリムの滑り止め層の構成を拡大して示す断面図。
【発明を実施するための形態】
【００１４】
以下、図面を参照して、実施形態に係る車椅子Ｗの構成について説明する。車椅子Ｗは、トラックレースやマラソン等で用いられるものである。
【００１５】
まず、図１〜図３を参照して、車椅子Ｗの概略構成について説明する。
【００１６】
図１に示すように、車椅子Ｗは、ケージ１と、ケージ１の前方に延設された車体フレーム２と、車体フレーム２に設けられた操舵用のハンドル３と、車体フレーム２の前端部に配置された前輪４と、車体フレーム２の前端部に取り付けられ、ハンドル３が連結され、前輪４を保持するフロントフォーク５と、ケージ１の左右に取り付けられた一対の後輪６と、後輪６のケージ１とは反対側に取り付けられたハンドリム７とを備えている。
【００１７】
図２に示すように、ケージ１は、上部が開放され、その内部には競技者（使用者）が着座する着座用シート１ａが配置されている。
【００１８】
ハンドル３は、車体フレーム２の先端部に枢支されたフロントフォーク５のコラム部５ａ（図３参照）の端部に接続されている。車椅子Ｗでは、ハンドル３を操作することにより、フロントフォーク５を介して前輪４の向きを変更して、車椅子Ｗを所望の方向に旋回走行させることができるようになっている。
【００１９】
後輪６は、ホイール６ａと、ホイール６ａに嵌合されたタイヤ６ｂとで構成されている。後輪６は、上方ほどケージ１側の中心側に近づくように傾斜した状態で、ケージ１に取り付けられている。
【００２０】
ハンドリム７は、後輪６と一体的に回転可能に固定されている。着座用シート１ａに着座した競技者は、ハンドリム７を介して駆動力を後輪６に伝達する。
【００２１】
図３に示すように、フロントフォーク５は、車体フレーム２の先端部に支持されるコラム部５ａと、コラム部５ａから二股状に前方に延びるフォーク部５ｂとを有している。フォーク部５ｂの先端部には、前輪４の車軸を支持する軸受け孔５ｃが形成されている。
【００２２】
コラム部５ａは円筒状に形成され、ベアリング（不図示）を介して車体フレーム２の前端部に枢支される。コラム部５ａの上端部にはハンドル３（図１参照）が固設されている。
【００２３】
次に、図１及び図４を参照して、ハンドリム７について詳細に説明する。
【００２４】
図４に示すように、ハンドリム７は、中空の環状の基材７０と、基材７０の表面に形成された滑り止め層７１とを備える。
【００２５】
基材７０は、繊維強化プラスチックを積層して形成され複数のパイプを、アルミや鉄等の金属製のボスによって接続することによって、環状に形成されている（図１参照）。このように構成されたハンドリム７は、ボスを貫くネジ（不図示）によって、駆動輪である後輪６のホイール６ａのケージ１とは反対側の面に固定されている。
【００２６】
なお、本発明のハンドリムは、使用者が掴んで駆動させる駆動輪に固定されていれば良いので、車椅子の構造によっては、前輪に取り付けてもよい。
【００２７】
基材７０を形成する繊維強化プラスチックとしては、例えば、ポリアクリルニトリル（ＰＡＮ）系炭素繊維を用いた繊維強化プラスチック、アラミド繊維強化プラスチック、ガラス繊維、ピッチ系炭素繊維、ＰＢＯ繊維、ポリアリレート繊維、又は、ポリエチレン繊維により強化した繊維強化プラスチック等が用いられる。
【００２８】
なお、基材７０は、必ずしも繊維強化プラスチックで形成された複数のパイプをボスによって接続するものとしなくてもよい。例えば、繊維強化プラスチックに代わり、金属を用いてパイプを形成してもよい。また、複数のパイプをボスによって接続して基材を形成するのではなく、一体成型によって形成してボスを省略してもよい。また、基材の断面形状を円筒状ではなく、矩形の筒状や、中実の柱状としてもよい。
【００２９】
滑り止め層７１は、基材７０の表面に形成された接着剤層７１ａと、接着剤層７１ａを介して固定された粒子７１ｂとを有している。
【００３０】
滑り止め層７１は、基材７０の周面のうち、ホイール６ａに取り付けた際にホイール６ａとは反対側となる領域、及び、内周側となる領域に形成されている。具体的には、ホイール６ａの表面に直交する線を基準線とした場合に、内周側に１３５°、外周側に９０°となる範囲に形成されている。
【００３１】
これは、滑り止め層７１は、使用者の手との間の摩擦抵抗を高くするために形成されるものであるので、少なくとも使用者の手が接触する領域に形成されていればよいためである。ハンドリム７では、このように滑り止め層７１の形成範囲を限定することによって、摩擦抵抗を低減させることなく、滑り止め層７１の形成に必要な粒子７１ｂの量を抑えて、製造コストを抑えている。
【００３２】
なお、滑り止め層７１を形成する領域は、上記の領域に限定されるものではなく、使用者の手の大きさや、使用できる粒子の量等に応じて、適宜変更してもよい。例えば、基材７０の周面の全域に亘って形成してもよい。
【００３３】
接着剤層７１ａは、エポキシ、ウレタン、不飽和ポリエステル、ビニルエステル樹脂等の熱硬化性樹脂で形成されている。
【００３４】
粒子７１ｂは、平均粒径が２００μｍ〜３００μｍであり、少なくともその一部が接着剤層７１ａから突出するように固定されている。具体的には、図５に示すように、接着剤層７１ａの厚さが平均粒径の半分以下となるように構成されている。そのため、ハンドリム７の表面には、多数の凹凸が存在している。その結果、濡れた状態であっても、使用者の手（グローブ）との摩擦抵抗が高い状態が維持される。
【００３５】
また、粒子７１ｂは、植物性の粒子であり、油脂分が０．０７％のものを使用している。具体的には、桃、クルミ、杏子等の種殻を粉砕したものを用いている。これは、接着剤層７１ａに対する接着性を向上させるためである。
【００３６】
なお、粒子７１ｂは、平均粒径が２００μｍ〜３００μｍ、油脂分が０．０７％の植物性の粒子に限定されるものではない。例えば、油脂分は０．４％以下であれば、十分な接着性を得ることができる。また、粒径は、接着剤層から突出可能な大きさであればよい。また、植物性の粒子に代わり、セラミック系の粒子を用いてもよい。
【００３７】
また、粒子７１ｂは、少なくとも接着剤層７１ａから７０μｍ程度突出するように固定されていれば、十分な摩擦抵抗を得ることができる。そのため、接着剤層の厚さは、粒子の粒径や接着剤層を形成する接着剤の性能に応じて、適宜変更してもよい。
【００３８】
粒子７１ｂの滑り止め層７１の表面に対する粒子７１ｂが存在する領域の占有面積を、ハンドリム７上の等間隔に離れた５つの点において算出したところ、９６．４６％，９５．６８％，９７．３７％，９６．６１％，９７．２２％であった。これにより、適度な摩擦抵抗を得ることができる。
【００３９】
なお、粒子７１ｂの滑り止め層７１の表面における占有面積は、上記の値に限定されるものではない。粒子７１ｂの平均粒径等や必要とする摩擦抵抗等に応じて、適宜変更してよい。少なくとも８０％以上となっていればよい。特に、９５％を超えていることが好ましい。
【００４０】
ハンドリム７は、基材７０に接着剤層７１ａを形成する熱硬化性樹脂を、刷毛やスプレー、ディップといった方法によって塗布した後、粒子７１ｂをまぶし、その後に熱処理を行うことによって形成している。なお、熱硬化性樹脂の種類によっては、熱処理を省略することもできる。特に、粒子７１ｂとして植物性の粒子を使用する場合には、熱処理を行わずに硬化する樹脂を使用するとよい。
【００４１】
なお、ハンドリム７は、他の方法を用いて形成してもよい。例えば、予めフィルム状に形成されている熱硬化性樹脂を接着剤層７１ａとしてもちいてもよい。また、粒子７１ｂを混ぜ込んだ熱硬化性樹脂を塗布して、接着剤層７１ａを形成すると同時に粒子７１ｂを固定してもよい。
【００４２】
以上、図示の実施形態について説明したが、本発明はこのような形態に限られるものではない。
【００４３】
例えば、上記実施形態では、滑り止め層７１をハンドリム７の表面の全域に形成している。しかし、滑り止め層は、ハンドリムの一部にのみ形成してもよい。例えば、ハンドリムの後輪の表面とは反対側の領域のみ、又は、ハンドリムの外周側の領域のみに形成してもよい。また、滑り止め層を形成した部分と滑り止め層を形成していない部分とを交互に配置して縞模様となるようにしてもよい。
【符号の説明】
【００４４】
１…ケージ、１ａ…着座シート、２…車体フレーム、３…ハンドル、４…前輪、５…フロントフォーク、５ａ…コラム部、５ｂ…フォーク部、５ｃ…軸受け孔、６…後輪、６ａ…ホイール、６ｂ…タイヤ、７…ハンドリム、７０…基材、７１…滑り止め層、７１ａ…接着剤層、７１ｂ…粒子、Ｗ…車椅子。
【図１】
2017192581.tif 000003
【図２】
2017192581.tif 000004
【図３】
2017192581.tif 000005
【図４】
2017192581.tif 000006
【図５】
2017192581.tif 000007